(57)【要約】【課題】製造コストを低減させることができるとともに紐部材を容易かつ強固に固定することが可能な紐止め具、及び、当該紐止め具を備えたリング状装身具を提供する。【解決手段】紐止め具本体２０にキャップ３０を係止して紐部材２を取り付ける紐止め具１０において、紐止め具本体２０を、紐部材２の中心線Ｏに略平行に延在して該紐部材２を両側から挟み込む一対の挟持部２１，２１と、これら一対の挟持部２１，２１同士を互いに近接する方向に弾性変形可能となるように連結する連結部２５と、一対の挟持部２１，２１における互いに対向する内面２１ｃから突出する爪部２２とから構成し、キャップ３０を、紐部材２を挟み込んだ一対の挟持部２１，２１に対してその先端２１ｂ側から外嵌する。【選択図】図３
2011234822.tif 000002
【特許請求の範囲】
【請求項１】
紐止め具本体に筒状のキャップを係止して紐部材を取り付ける紐止め具であって、
前記紐止め具本体は、
前記紐部材の中心線に略平行に延在して該紐部材を外周面の両側から挟み込む一対の挟持部と、
これら一対の挟持部の基端同士を、該一対の挟持部が互いに近接する方向に弾性変形可能となるように連結する連結部と、
前記一対の挟持部における互いに対向する内面から突出する爪部とを備え、
前記キャップが、前記紐部材を挟み込んだ前記一対の挟持部に対してその先端側から外嵌されることを特徴とする紐止め具。
【請求項２】
前記爪部が、前記連結部に向かって傾斜して突出していることを特徴とする請求項１に記載の紐止め具。
【請求項３】
前記一対の挟持部の外面に、これら一対の挟持部に外嵌された前記キャップの離脱を阻止する突起部が設けられたことを特徴とする請求項１又は２に記載の紐止め具。
【請求項４】
前記キャップの内周面が、該キャップが前記一対の挟持部に外嵌された状態において、前記一対の挟持部の基端側から先端側に向かうに従って漸次縮径するテーパ状に形成されていることを特徴とする請求項１から３のいずれか一項に記載の紐止め具。
【請求項５】
紐部材と、
該紐部材の両端に設けられて互いに係合可能な一対の紐止め具とを備えたリング状装身具において、
前記紐止め具が、請求項１から４のいずれか一項に記載の紐止め具であることを特徴とするリング状装身具。
【発明の詳細な説明】
【技術分野】
【０００１】
本発明は、紐止め具本体に筒状のキャップを装着して紐の端部を取り付ける紐止め具、並びに、当該紐止め具を備えたリング状装身具に関するものである。
【背景技術】
【０００２】
従来から、長尺状の紐部材を備えたリング状装身具が知られている。このリング状装身具は、例えば紐部材の両端に設けられた紐止め具同士が係合させられることによってリング状に形成されており、手首、腕、首周り等に取り外し可能に身に付けられる。
【０００３】
上記の紐止め具としては、紐止め具本体に筒状のキャップを装着して紐部材の端部を取り付ける構成のものが知られている。一例として特許文献１には、紐止め具本体を開閉可能なフックと一対のアームとで構成し、これら一対のアームに、キャップを装着することで紐部材をアーム間で両方向から挟持して固定する挟持部を設けるとともに、キャップにより押圧された紐部材を支持する支持部を設けた紐止め具が開示されている。
【先行技術文献】
【特許文献】
【０００４】
【特許文献１】特開２００８−３３５号公報
【発明の概要】
【発明が解決しようとする課題】
【０００５】
ところで、上記従来の紐止め具においては、紐部材の端部を強固に固定すべく、一対のアームが挟持部と支持部とから構成されているため、紐止め具本体の形状が複雑なものとなっていた。したがって、例えば当該紐止め具をプラスチック等の合成樹脂により成形する場合、型構造が複雑となって製造コストの上昇を招くという問題があった。
【０００６】
また、アーム、キャップ及び支持部により押圧することをもって紐部材を固定する構成のため、引っ張り強度が高いとは言えず、紐部材に大きな力が作用した際に該紐部材が紐止め具から抜けてしまうおそれがあった。
さらに、紐止め具としては、簡易な作業でもって紐部材を固定可能な構成であることが好ましい。
【０００７】
本発明はこのような課題に鑑みてなされたものであって、製造コストを低減させることができるとともに紐部材を容易かつ強固に固定することが可能な紐止め具、及び、当該紐止め具を備えたリング状装身具を提供することを目的とする。
【課題を解決するための手段】
【０００８】
上記課題を解決するため、本発明は以下の手段を提案している。
即ち、本発明に係る紐止め具は、紐止め具本体に筒状のキャップを係止して紐部材を取り付ける紐止め具であって、前記紐止め具本体は、前記紐部材の中心線に平行に延在して該紐部材を外周面両側から挟み込む一対の挟持部と、これら一対の挟持部の基端同士を、該一対の挟持部が互いに近接する方向に弾性変形可能となるように接続する連結部と、前記一対の挟持部における互いに対向する内面から突出する爪部とを備え、前記キャップが、前記紐部材を挟み込んだ前記一対の挟持部に対してその先端側から外嵌されていることを特徴とする。    
【０００９】
このような特徴の紐止め具を使用する際には、まず、一対の挟持部を紐部材の中心線に平行に延在するように配置させて当該一対の挟持部によって紐部材を挟み込む。これによって、挟持部の内面が紐部材の両側から当接するとともに、該内面に形成された爪部が紐部材に食い込んだ状態となる。その後、一対の挟持部にキャップを外嵌させることで、これら挟持部による紐部材の挟み込み状態を保持する。
【００１０】
このように、本発明の紐止め具によれば、挟持部により紐部材の端部を挟み込んだ後、キャップを外嵌させるといった作業のみをもって、容易に紐部材を固定することができる。
また、挟持部が紐部材の中心線に平行に延在するように配置されるため、一対の挟持部の紐部材に対する接触面積が増大し、紐部材を強固に固定することができる。さらにこの際、爪部が紐部材に食い込むことによって、紐部材を一層強固に固定することができる。
そして、紐止め具本体は、一対の挟持部を連結部が接続した単純な構成であるため、当該紐止め具本体を合成樹脂で成形する際の型構造が複雑になることはなく、製造コストを抑えることができる。
【００１１】
本発明に係る紐止め具においては、前記爪部が、前記連結部に向かって傾斜して突出していることが好ましい。
【００１２】
紐部材の引っ張り方向に対して爪部が逆方向に傾斜していることにより、紐部材が紐止め具から抜けてしまうことをより確実に防止することができる。
【００１３】
また、本発明に係る紐止め具においては、前記一対の挟持部の外面に、これら一対の挟持部に外嵌された前記キャップの離脱を阻止する突起部が設けられていることが好ましい。
【００１４】
これによって、一対の挟持部に対するキャップの外嵌状態を確実に保持でき、キャップが一対の挟持部から離脱することにより紐部材が抜けてしまうことを防止することができる。
【００１５】
さらに、本発明に係る紐止め具においては、前記キャップの内周面が、該キャップが前記一対の挟持部に外嵌された状態において、前記一対の挟持部の基端側から先端側に向かうに従って漸次縮径するテーパ状に形成されていることが好ましい。
【００１６】
これにより、キャップにおける紐止め具本体側の開口面積が大きくなるため、一対の挟持部の先端から基端に向かって容易にキャップを外嵌させることができる。また、キャップを押し込むことによって、一対の挟持部の先端をこれら一対の挟持部が近接する方向に向かって押圧することができるため、紐部材に対する挟持部の押圧力及び爪部の食い込み力を増大させることができる。したがって、より強固に紐部材を固定することが可能となる。
【００１７】
本発明に係るリング状装身具は、紐部材と、該紐部材の両端に設けられて互いに係合可能な一対の紐止め具とを備えたリング状装身具において、前記紐止め具が、上記いずれかに記載の紐止め具であることを特徴とする。
【００１８】
このような特徴のリング状装身具によれば、上記紐止め具を用いているため、当該紐止め具を強固に保持することができる。したがって、当該リング状装身具を体に身に着けて例えば運動をしている場合等に紐部材に大きな力が作用したとしても、紐部材が外れてしまうことを防止することができる。
【発明の効果】
【００１９】
本発明の紐止め具及びリング状装身具によれば、型構造が複雑となることはなく、製造コストを低減させることができる。また、一対の挟持部で挟み込んでキャップを外嵌することのみをもって容易に紐部材を固定することができるとともに、一対の挟持部が紐部材の中心線方向に延在し、かつ、内面に爪部が形成された構成のため、紐部材を強固に固定することができる。
【図面の簡単な説明】
【００２０】
【図１】実施形態に係るリング状装身具の斜視図である。
【図２】実施形態に係る紐止め具の側面図である。
【図３】図２の縦断面図である。
【図４】紐止め具本体の斜視図である。
【図５】キャップの斜視図である。
【図６】紐部材を紐止め具に取り付ける手順を説明する縦断面図である。
【発明を実施するための形態】
【００２１】
次に本発明に係る実施形態の紐止め具及びリング状装身具について図面を参照して詳細に説明する。
図１に示すようにリング状装身具１は、人の手首、腕、首周り等に着脱可能に身に付けられるリング状をなしており、ファッション性を重視した装飾品や健康的作用を重視した健康器具等として使用される。このリング状装身具１は、紐部材２と、該紐部材２の両端がそれぞれ取り付けられる一対の紐止め具１０，１０とから構成されている。
【００２２】
紐部材２は、屈曲可能とされた長尺状の部材であって、本実施形態においては、断面円形状のゴム紐が採用されている。この紐部材２としては、ビニル紐や繊維を編んで織り上げた組み紐等、種々のものを使用することができ、屈曲性及び弾力性を有するものを採用することが好ましい。
そして、リング状装身具１は、紐部材２の両端の紐止め具１０，１０が互いに係合することにより、全体としてリング状をなしている。
【００２３】
紐止め具１０は、図２及び図３に示すように、紐止め具本体２０と、キャップ３０とから構成されている。
上記紐止め具本体２０は、図３及び図４に示すように、合成樹脂から成形された略Ｕ字形状をなす部材であって、一対の挟持部２１，２１と、連結部２５とから構成されている。
【００２４】
挟持部２１，２１は、図３に示すように、紐部材２の中心線Ｏに平行に延在するように配置される板状をなす部材であって、該中心線Ｏを挟んで互いに対向するように配置されている。これら挟持部２１，２１は、紐部材２の端部側に配置される基端２１ａ側（図３における左側）の方が先端２１ｂ側（図３における右側）に比べて板厚が大きく形成されており、即ち、基端２１ａ側から先端２１ｂ側に向かうに従って漸次板厚が小さくなるように構成されている。
【００２５】
これら挟持部２１，２１における互いに対向する内面２１ｃには、それぞれ複数の爪部２２が設けられている。この爪部２２は、上記内面２１ｃから挟持部２１の基端２１ａ側（図３における左側）に向かって漸次傾斜するように突出しており、中心線Ｏ方向に等間隔を空けて各挟持部２１，２１に複数（本実施形態においては３つ）形成されている。
【００２６】
また、挟持部２１，２１における内面２１ｃの反対側を向く面、即ち、中心線Ｏの径方向外側を向く面である外面２１ｄには、突起２４がそれぞれ形成されている。この突起２４は外面２１ｄにおける先端２１ｂ側寄りの箇所から突出するように形成されている。また、突起２４における挟持部２１の先端２１ｂ側を向く面は、先端２１ｂ側から基端２１ａ側に向かうに従って漸次外面２１ｄから離間する傾斜面２４ａとされており、突起２４における挟持部２１の基端２１ａを向く面は、キャップ３０の第一端部３０ｂが当接する第一当接面２４ｂとされている。
【００２７】
連結部２５は、上記一対の挟持部２１，２１の基端２１ａ同士を、これら一対の挟持部２１が互いに近接する方向に弾性変形可能となるように連結するものである。この連結部２５は、略Ｃ字状をなしており、該Ｃ字の両端付近に各挟持部２１，２１の基端２１ａが接続されている。
【００２８】
なお、連結部２５の形状としては、一対の挟持部２１，２１を弾性変形可能に接続する限り、例えば円形や直線形状等の他の形状であってもよい。また、一対の紐止め具１０、１０は、各連結部２５同士が互いに係合する構成とされており、例えば、一方の紐止め具１０の連結部２５に対して他方の連結部２５に設けられたフック（図示省略）が係合する構成とされている。
【００２９】
上記連結部２５と各挟持部２１，２１の境界付近には、挟持部２１の基端２１ａから張り出すフランジ部２６が形成されている。このフランジ部２６における挟持部２１の先端２１ｂを向く面は、キャップ３０の先端が当接する第二当接面２６ａとされている。
【００３０】
キャップ３０は、図２、図３及び図５に示すように、合成樹脂からなる略円筒状をなす部材であって、図３に示すように、その内周面３０ａを一対の挟持部２１，２１の外面２１ｄに当接させるようにして、これら一対の挟持部２１，２１に外嵌される。また、キャップ３０の中心線Ｏ方向の長さは、突起２４とフランジ部２６との距離と略等しく形成されており、これにより一対の挟持部２１，２１にキャップ３０が外嵌された状態においては、該キャップ３０の第一端部３０ｂが第一当接面２４ｂに当接し、第二端部３０ｃが第二当接面２６ａに当接する。
【００３１】
また、このキャップ３０の内周面３０ａは、一対の挟持部２１，２１に外嵌された状態において、挟持部２１，２１の先端２１ｂから基端２１ａに向かうに従って、即ち、第一端部３０ｂから第二端部３０ｃに向かうに従って漸次拡径するテーパ状に形成されている。これに対して、キャップ３０の外周面３０ｄは、先端２１ｂから基端２１ａに向かうに従って段階的に拡径する形状とされている。
【００３２】
次に、上記のような紐止め具本体２０とキャップ３０とからなる紐止め具１０により、紐部材２の端部を固定する手順について説明する。
まず、図６に示すように、紐部材２をキャップ３０に挿通させた状態で、一対の挟持部２１，２１を紐部材２の中心線Ｏに平行に延在するように配置させて当該一対の挟持部２１，２１によって紐部材２の端部側の部分を挟み込む。これによって、挟持部２１，２１の内面２１ｃが紐部材２の外周面に両側から当接し、さらに該内面２１ｃに形成された爪部２２が紐部材２に食い込んだ状態となる。その後、キャップ３０を紐部材２の端部側、即ち、紐止め具本体２０側に向かって移動させ、該キャップ３０を一対の挟持部２１，２１の先端２１ｂから外嵌させるように押し込む。
【００３３】
この際、キャップ３０の内周面３０ａが挟持部２１，２１の外面２１ｄに形成された突起２４における傾斜面２４ａに当接する。これによって、一対の挟持部２１，２１はその基端２１ａを支点として互いに近接する方向に向かって弾性変形させられる。
【００３４】
そして、キャップ３０をさらに押し込んで、該キャップ３０の内周面３０ａが突起２４を越えた時点で、該キャップ３０の第一端部３０ｂが突起２４の第一当接面２４ｂに当接するとともに、第二端部３０ｃがフランジ部２６の第二当接面２６ａに当接する。これによって、キャップ３０の移動が拘束されるとともに、該キャップ３０により一対の挟持部２１，２１が互いに近接する方向に弾性変形させられた状態で拘束される。このようにして、紐部材２の紐止め具１０に対する取り付け作業が完了する。
【００３５】
以上のように、本実施形態の紐止め具１０によれば、挟持部２１，２１により紐部材２を挟み込んだ後、キャップ３０を外嵌させるといった作業のみをもって、容易に紐部材２を固定することができる。
【００３６】
また、挟持部２１，２１が紐部材２の中心線Ｏに平行に延在しているので、一対の挟持部２１，２１の紐部材２に対する接触面積が増大し、紐部材２を強固に固定することができる。さらにこの際、爪部２２が紐部材２に食い込むことによって、紐部材２を一層強固に固定することができる。
【００３７】
また、紐止め具本体２０は、内面に爪部２２を備えた一対の挟持部２１を連結部２５が接続した単純な構成であるため、当該紐止め具本体２０を合成樹脂で成形する際の型構造が複雑になることはなく、製造コストを抑えることができる。
【００３８】
さらに、爪部２２が、連結部２５に向かうように傾斜するように突出しており、即ち、紐部材２の引っ張り方向に対して爪部２２が逆方向に傾斜しているため、紐部材２が紐止め具１０から抜け落てしまうことをより確実に防止することができる。
【００３９】
また、一対の挟持部２１，２１の外面に、突起２４が設けられているため、当該突起２４がキャップ３０の移動を阻止することにより、一対の挟持部２１，２１に対するキャップ３０の外嵌状態を確実に保持することができる。これによって、キャップ３０が一対の挟持部２１，２１から離脱することにより紐部材２が抜け落ちてしまうことを防止することができる。
【００４０】
さらに、キャップ３０の内周面がテーパ状に形成されているため、キャップ３０における紐止め具本体２０側の開口面積が大きくなり、一対の挟持部２１，２１の先端２１ｂから基端２１ａに向かって容易にキャップ３０を外嵌させることができる。また、キャップ３０を押し込むことによって、該キャップ３０の内周面３０ａが一対の挟持部２１，２１をこれら一対の挟持部２１，２１が近接する方向に向かって押圧するため、紐部材２に対する挟持部２１，２１の押圧力及び爪部２２の食い込み力を増大させることができる。したがって、より強固に紐部材２を固定することが可能となる。
【００４１】
また、本実施形態のリング状装身具１は、紐止め具１０に紐部材２の両端がそれぞれ取り付けられているため、紐部材２を強固に保持することができる、したがって、当該リング状装身具１を体に身に着けて例えば運動をしている場合等に紐部材２に大きな力が作用したとしても、紐部材２が外れてしまうことを防止することができる。
【００４２】
以上、本発明の実施形態について説明したが、本発明はこれに限定されることはなく、その発明の技術的思想を逸脱しない範囲で適宜変更可能である。
例えば、実施形態においては、紐止め具１０における紐止め具本体２０及びキャップ３０を合成樹脂で成形した例について説明したが、これに限定されることはなく、例えば金属等の他の材料から構成してもよい。
また、紐止め具１０は、リング状装身具１に適用するのみならず、ストラップ等の種々の製品に適用することが可能である。
【００４３】
さらに、実施形態においては、紐部材２として断面円形状のゴム紐を採用した例について説明したが、これに限定されることはなく、例えばビニル等の合成樹脂から形成されたテープを採用してもよい。また、この際、テープを折り返すとともに当該折り返し部分を紐止め具本体２０の一対の挟持部２１によって挟み込んでキャップ３０を外嵌させてもよい。これによってテープ状をなす紐部材２を確実に固定することができる。
【符号の説明】
【００４４】
１    リング状装身具
２    紐部材
１０  紐止め具
２０  紐止め具本体
２１  挟持部
２１ａ       基端
２１ｂ       先端
２１ｃ       内面
２１ｄ       外面
２２  爪部
２４  突起
２４ａ       傾斜面
２４ｂ       第一当接面
２５  連結部
２６  フランジ部
２６ａ       第二当接面
３０  キャップ
３０ａ       内周面
３０ｂ       第一端部
３０ｃ       第二端部
３０ｄ       外周面
Ｏ    中心線
【図１】
2011234822.tif 000003
【図２】
2011234822.tif 000004
【図３】
2011234822.tif 000005
【図４】
2011234822.tif 000006
【図５】
2011234822.tif 000007
【図６】
2011234822.tif 000008